(57)【特許請求の範囲】
【請求項１】
第１のアクセスシステムが移動体ユーザ機器（ＭＵＥ）と前記第１のアクセスシステムとの間で第１の数の通信を処理することができ、第２のアクセスシステムが前記移動体ユーザ機器（ＭＵＥ）と前記第２のアクセスシステムとの間で第２の数の通信を処理することができる、少なくとも２つの異なるアクセスシステムを用いる通信システムであって、
前記移動体ユーザ機器（ＭＵＥ）および／または通信システムが、第１のアクセスシステムと第２のアクセスシステムの間を前記移動体ユーザ機器（ＭＵＥ）が移動する場合に、どの通信をハンドオーバするかについて少なくとも１つの決定を下す手段を少なくとも１つ含み、
前記移動体ユーザ機器（ＭＵＥ）および／または通信システムが、前記少なくとも１つの決定を実行する手段を少なくとも１つ含むことを特徴とする通信システム。
【請求項２】
前記通信システムが、少なくとも１つの前記アクセスシステムの能力を決定する手段（ＣＡＥ）を少なくとも１つ含むことを特徴とする請求項１に記載の通信システム。
【請求項３】
前記能力を決定する手段がコアネットワーク（ＣＮ）中にあることを特徴とする請求項２に記載の通信システム。
【請求項４】
前記通信システムのアクセスネットワーク（ＡＮ）の少なくとも１つが、前記少なくとも１つの決定を実行する手段を含むことを特徴とする請求項１から３のいずれかに記載の通信システム。
【請求項５】
コアネットワーク（ＣＮ）が、前記少なくとも１つの決定を実行する手段を含むことを特徴とする請求項１から３のいずれかに記載の通信システム。
【請求項６】
前記移動体ユーザ機器（ＭＵＥ）が、前記少なくとも１つの決定を実行する手段を含むことを特徴とする請求項１から３のいずれかに記載の通信システム。
【請求項７】
前記通信システムのアクセスネットワーク（ＡＮ）の少なくとも１つが、少なくとも１つの決定を下す手段を含むことを特徴とする請求項１から６のいずれかに記載の通信システム。
【請求項８】
少なくとも１つのコアネットワーク（ＣＮ）が、少なくとも１つの決定を下す手段を含むことを特徴とする請求項１から６のいずれかに記載の通信システム。
【請求項９】
前記移動体ユーザ機器（ＭＵＥ）が、少なくとも１つの決定を下す手段を含むことを特徴とする請求項１から６のいずれかに記載の通信システム。
【請求項１０】
システム間ハンドオーバが必要かどうかについて少なくとも１つの決定を下す手段を含むことを特徴とする請求項１から９のいずれかに記載の通信システム。
【請求項１１】
システム間ハンドオーバが必要かどうかについて少なくとも１つの決定を下す手段がデバイス（ＤＰＨ）であることを特徴とする請求項１から１０のいずれかに記載の通信システム。
【請求項１２】
前記デバイス（ＤＰＨ）がアクセスネットワーク（ＡＮ）中にあることを特徴とする請求項１０または１１に記載の通信システム。
【請求項１３】
前記デバイス（ＤＰＨ）が無線ネットワーク制御局中にあることを特徴とする請求項１２に記載の通信システム。
【請求項１４】
前記デバイス（ＤＰＨ）がコアネットワーク（ＣＮ）中にあることを特徴とする請求項１１に記載の通信システム。
【請求項１５】
第１のアクセスシステムが移動体ユーザ機器（ＭＵＥ）と前記第１のアクセスシステムとの間で第１の数の通信を処理することができ、第２のアクセスシステムが前記移動体ユーザ機器（ＭＵＥ）と前記第２のアクセスシステムとの間で第２の数の通信を処理することができる、少なくとも２つの異なるアクセスシステムを用いる通信システムを管理する方法であって、
前記第１のアクセスシステムから前記第２のアクセスシステムへのハンドオーバが行われるべきかどうかが評価され、前記ハンドオーバが必要な場合は、どの通信がハンドオーバされるかが選択されることを特徴とする方法。
【請求項１６】
アクセスネットワーク（ＡＮ）が前記移動体ユーザ機器（ＭＵＥ）にハンドオーバ照会を送信することを特徴とする請求項１５に記載の方法。
【請求項１７】
前記アクセスネットワーク（ＡＮ）が前記移動体ユーザ機器（ＭＵＥ）にハンドオーバ照会（ＨＱ）を送信する前に、前記アクセスネットワーク（ＡＮ）がコアネットワーク（ＣＮ）に信号で知らせることを特徴とする請求項１６に記載の方法。
【請求項１８】
前記コアネットワーク（ＣＮ）が、サポートできる通信に関する情報を追加することを特徴とする請求項１７に記載の方法。
【請求項１９】
前記第２のアクセスシステムにハンドオーバすべき通信について移動体ユーザが決定できることを特徴とする請求項１５から１８のいずれかに記載の方法。
【請求項２０】
前記移動体ユーザ機器（ＭＵＥ）が、前記第２のアクセスシステムにハンドオーバすべき通信について前記アクセスネットワーク（ＡＮ）に通知することを特徴とする請求項１５から１９のいずれかに記載の方法。
【請求項２１】
前記移動体ユーザ機器（ＭＵＥ）が、前記第２のアクセスシステムに向けたハンドオーバに対するハンドオーバ照会（ＨＯＱ）を受信し、次いで、前記移動体ユーザ機器（ＭＵＥ）が、前記第２のアクセスシステム中で維持できないすべての接続を切断することを特徴とする請求項１５から２０のいずれかに記載の方法。
【請求項２２】
前記コアネットワーク（ＣＮ）が、どの通信を前記第２のアクセスシステムにハンドオーバすべきかを決定することを特徴とする請求項１５から２１のいずれかに記載の方法。
【請求項２３】
前記第２のアクセスシステム中で維持できないすべての通信が切断されることを特徴とする請求項１５から２２のいずれかに記載の方法。
【請求項２４】
前記移動体ユーザ機器（ＭＵＥ）が前記第１のアクセスシステムと前記第２のアクセスシステムの間を移動することになる場合に、ハンドオーバされる通信についての少なくとも１つの決定が、少なくとも１つの事前設定に依存することを特徴とする請求項１５から２３に記載の方法。
【請求項２５】
前記事前設定が移動体ユーザ機器内にあることを特徴とする請求項２４に記載の方法。
【請求項２６】
前記事前設定が、初期ユーザ機器（ＩＵＥ）メッセージ内および／またはセットアップ（ＳＵ）メッセージ内で前記コアネットワークに転送されることを特徴とする請求項２５に記載の方法。
【請求項２７】
前記コアネットワーク（ＣＮ）が前記移動体ユーザ機器（ＭＵＥ）に要求を送信した後で、前記事前設定に依存するメッセージが前記コアネットワーク（ＣＮ）に送信されることを特徴とする請求項２５に記載の方法。
【請求項２８】
前記事前設定が、アクセスネットワーク（ＡＮ）内および／またはコアネットワーク（ＣＮ）内に記憶されることを特徴とする請求項２４に記載の方法。
【請求項２９】
前記事前設定が移動体ユーザごとに異なる場合があることを特徴とする請求項２８に記載の方法。
【請求項３０】
前記事前設定がすべてのユーザに対して同一であることを特徴とする請求項２８に記載の方法。
【請求項３１】
前記事前設定が異なる通信カテゴリごとに異なる場合があることを特徴とする請求項２４から３０のいずれかに記載の方法。
【請求項３２】
前記事前設定が異なる通信に対する異なる優先順位ごとに異なる場合があることを特徴とする請求項２４から３１のいずれかに記載の方法。
【請求項３３】
前記事前設定がオペレータによって定義および／または修正されることを特徴とする請求項２４から３２のいずれかに記載の方法。
【請求項３４】
前記事前設定が移動体ユーザによって定義および／または修正されることを特徴とする請求項２４から３３のいずれかに記載の方法。
【請求項３５】
前記通信のうちの少なくとも１つが、前記ハンドオーバの前に保留にされ、前記ハンドオーバの後に保留のまま保たれることを特徴とする請求項１５から３４のいずれかに記載の方法。
【請求項３６】
前記移動体ユーザ機器（ＭＵＥ）が前記少なくとも１つの通信を保留にすることを特徴とする請求項１５から３５のいずれかに記載の方法。
【請求項３７】
前記コアネットワーク（ＣＮ）が、前記少なくとも１つの通信を保留にすることを特徴とする請求項１５から３５のいずれかに記載の方法。
【請求項３８】
第１のアクセスシステムが移動体ユーザ機器（ＭＵＥ）と前記第１のアクセスシステムとの間で第１の数の通信を処理することができ、第２のアクセスシステムが前記移動体ユーザ機器（ＭＵＥ）と前記第２のアクセスシステムとの間で第２の数の通信を処理することができる、少なくとも２つの異なるアクセスシステムを用いる通信システムにおける移動体ユーザ機器（ＭＵＥ）であって、
前記第１のアクセスシステムと前記第２のアクセスシステムの間で前記移動体ユーザ機器（ＭＵＥ）が移動する場合に、どの通信をハンドオーバするかについて少なくとも１つの決定を下す手段と、
前記少なくとも１つの決定を下す手段によって下された前記決定に基づいて、ハンドオーバを実行する手段と
を含むことを特徴とする移動体ユーザ機器。
【発明の詳細な説明】
【０００１】
説  明
発明の分野：
本発明は、少なくとも２つの異なるアクセスシステムを用いる通信システムであって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる通信システムに関する。
【０００２】
本発明はさらに、少なくとも２つの異なるアクセスシステムを用いる通信システムを管理する方法であって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる方法に関する。
【０００３】
本発明はさらに、少なくとも２つの異なるアクセスシステムを用いる通信システムで通信することができる移動体ユーザ機器であって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる移動体ユーザ機器に関する。
【０００４】
セルラおよび／または衛星ベースの電話システムなどの通信システムが著しく発展し、全世界で使用されるようになった。
【０００５】
第１のアクセスシステムおよび第２のアクセスシステムを用いる通信システムの重要な一例は、すでに存在するアクセスシステム内に、新しいアクセスシステムの、いわば「アイランド（ｉｓｌａｎｄ）」を実装することである。しかし、本発明は、すでに存在するアクセスシステム内に新しいアクセスシステムを実装することに限らず、少なくとも２つの異なるアクセスシステムを用いる通信システムならどんな通信システムにも適用される。本発明はまた、異なるサービス・エリア内に異なる形で装備される通信システム、例えば、都市内のユーザに田舎地域よりも質の高いサービスを提供する通信システムにも関する。
【０００６】
将来の通信システムでは、移動体ユーザ機器がより多くの通信を同時に行えるようになるであろう。通信の例には、電話による通話、ファックス、データのダウンロード、またはデータのアップロード（ファイル転送）が含まれる。しかし本発明は、これらの例に限定したものではない。本発明によれば、通信は、どんな特別な転送形式に限定したものでもなく、接続を確立した情報転送にも、コネクションレス型情報転送にも限定しない。本発明によれば、通信には、コネクション型、ならびにショート・メッセージング・サービス（ＳＭＳ）などのコネクションレス型情報転送が含まれる。広帯域無線マルチメディア・サービスに向けた将来の無線シナリオには、次のものを含めることができる。すなわち、対話式ニュース配信（音声、ビデオ、電子メール、グラフィックス）、対話式電子メール（テキスト、グラフィックス、ビデオクリップ）、対話式オーディオ（ＣＤ品質の音声、ビデオ、グラフィックス）、ビデオ会議、ウェブ閲覧、動的なインターネットベースのゲーム、イントラネットからの大きなファイルのダウンロード、または、位置／場所依存の「プッシュ」情報である。
【０００７】
本発明の目的は、第１のアクセスシステムおよび第２のアクセスシステムを用いる通信システムであって、アクセスシステムのうちの少なくとも一方により移動体ユーザ機器が複数の通信を行うことができ、第１のアクセスシステムと第２のアクセスシステムの間の通信のシステム間ハンドオーバが可能な通信システムを生み出すことである。
【０００８】
公知のシステムの欠点は、第１のアクセスシステムと第２のアクセスシステムの間のシステム間ハンドオーバが不可能なことである。
【０００９】
この問題は有利にも、請求項１のシステム、請求項１５の方法、請求項３８の移動体ユーザ機器、および請求項３９の方法によって解決される。
【００１０】
本発明の別の目的は、少なくとも２つの異なるアクセスシステムを用いる通信システムを管理する方法であって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる方法である。この方法は、第１のアクセスシステムから第２のアクセスシステムへのシステム間ハンドオーバを実行すべきかどうかを評価し、システム間ハンドオーバが必要な場合に、第２の数の通信を最大限にハンドオーバする形で実行される。
【００１１】
本発明の別の目的は、少なくとも２つの異なるアクセスシステムを用いる通信システムを管理する方法であって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる方法である。この方法は、システム間ハンドオーバの前に通信のうちの少なくとも１つを保留にし、システム間ハンドオーバの後も保留のままに保つ形で実行される。
【００１２】
本発明の別の目的は、少なくとも２つの異なるアクセスシステムを用いる通信システム中で通信できる移動体ユーザ機器を提供することである。本発明によれば、この移動体ユーザ機器は、システム間ハンドオーバを移動体ユーザに示すためのインジケータを備える。
【００１３】
他の有利な実施形態および実装形態は、請求項２〜１４および１６〜３７に従って達成される。
【００１４】
本発明は、異なる通信および／または異なるタイプの通信を区別する概念を利用する。したがって本発明では、通信システムおよび／または移動体ユーザ機器が、異なる通信および／または異なるタイプの通信を、異なる方法でハンドオーバすることができる。
【００１５】
本発明によれば、少なくとも２つの異なるアクセスシステムを用いる通信システムであって、第１のアクセスシステムが、移動体ユーザ機器と第１のアクセスシステムとの間で第１の数の通信を処理することができ、第２のアクセスシステムが、移動体ユーザ機器と第２のアクセスシステムとの間で第２の数の通信を処理することができる通信システムによって、問題は解決される。このことは、移動体ユーザ機器および／または通信システムが、第１のアクセスシステムと第２のアクセスシステムの間を移動体ユーザ機器が移動する場合にどの通信をハンドオーバするかを決定できる、少なくとも１つの決定を下す手段を、少なくとも１つ含むこと、および、移動体ユーザ機器および／または通信システムが、その少なくとも１つの決定を実行する手段を、少なくとも１つ含むことを特徴とする。
【００１６】
この通信システムにより、移動体ユーザ機器が通信することが可能になる。通信システムは少なくとも、少なくとも１つのアクセスシステムからなる。アクセスシステムは、少なくとも１つのアクセスネットワークおよび少なくとも１つのコアネットワークからなる。アクセスネットワークは少なくとも、アクセスネットワークのリソースを管理するエンティティであって、コアネットワークにアクセスする機構を少なくとも１つユーザに提供するエンティティからなる。コアネットワークは少なくとも、ネットワーク機能および通信サービスに対するサポートを提供するエンティティからなる。提供されるサポートには、例えば、ユーザ場所情報の管理、ネットワーク機能およびサービスの制御、信号発信用およびユーザが生成した情報用の転送機構などの機能を含めることができる。
【００１７】
システム間ハンドオーバは、第１のアクセスシステムと第２のアクセスシステムの間のハンドオーバ、または第１のアクセスシステム内のハンドオーバであり、両方とも、異なる能力を有する手段の間で行われる。
【００１８】
本発明は、アクセスシステムとして、ＵＭＴＳおよび／またはＧＳＭを用いる通信システムに限定されないので、アクセスネットワークもコアネットワークも、ＵＭＴＳ実装形態またはＧＳＭ実装形態の要素に限定されない。各アクセスシステムは、少なくとも１つのアクセスネットワークおよび少なくとも１つのコアネットワークを有していて良い。本発明は、異なる同時通信処理能力を有するアクセスシステムに関するものであるので、特別なネットワーク構造は必要ない。したがって、アクセスネットワークは、情報を転送する能力を移動体ユーザ機器に与えることができる設置形態ならどんな設置形態とすることもできる。コアネットワークは、他の通信システムとの間、例えば、総合ディジタルサービス網（ＩＳＤＮ）、公衆交換電話網（ＰＳＴＮ）、または将来の移動体ネットワークなどの固定ネットワークとの間で情報を転送することができる設置形態ならどんな設置形態とすることもできる。
【００１９】
本発明は、多様な通信システムに関するものであるため、移動体ユーザ機器が第１のアクセスシステムと第２のアクセスシステムの間を移動することになる場合にどの通信をハンドオーバするかについて少なくとも１つの決定を下す手段の性質および場合もまた様々なことがある。
【００２０】
その少なくとも１つの決定を下す手段は、ハンドオーバすべき通信の数および／またはアイデンティティを決定することができる。このことには、どの通信もハンドオーバされない場合も含まれる。これは例えば、モバイル・ユーザがシステム間ハンドオーバを避けるためにルートを継続しないと決定したときである。
【００２１】
移動体ユーザ機器は、第１のアクセスシステムから第２のアクセスシステムに少なくとも１つの通信をハンドオーバすることができる。各アクセスシステムは、各移動体ユーザ機器につき、ある数の通信を処理することができる。通信の数の制限は、例えば、移動体ユーザ機器に対して１つの通信しか処理できない従来のＧＳＭシステムにみられる技術上の制約からくる。ただし、原則的には各移動体ユーザ機器につきより多数の同時通信を可能にするシステムであっても、永続的または一時的に、各移動体ユーザ機器につきある数の通信に制限される場合がある。
【００２２】
より少数の同時通信を可能にするアクセスシステムから、より多数の同時通信を可能にするアクセスシステムへのシステム間ハンドオーバは、問題を引き起こさないが、逆方向のシステム間ハンドオーバは困難である。
【００２３】
本発明により、各移動体ユーザ機器につき少なくとも２つ、好ましくはそれ以上の同時通信を行う第１のアクセスシステムから、より少数の同時通信が可能な別のアクセスシステムへと移動する移動体ユーザ機器の、異なる通信の管理が可能になる。
【００２４】
第１のアクセスシステムは、例えば、世界規模の移動体通信サービス（ＵＭＴＳ）を含み、第２のアクセスシステムは汎欧州デジタル移動電話方式（ＧＳＭ）、または第１のアクセスシステムよりも少数の同時通信が可能な世界規模の移動体通信サービス（ＵＭＴＳ）である。
【００２５】
移動体ユーザ機器は、例えば、通信可能なモバイルコンピュータ、移動電話、または移動体マルチメディアシステムである。
【００２６】
通信システム、方法、および移動体ユーザ機器の有利な一実装形態では、通信システムは、少なくとも一方のアクセスシステムの能力を決定する手段を少なくとも１つ備える。
【００２７】
通信システム、方法、および移動体ユーザ機器の好ましい一実施形態では、能力を決定する手段は、コアネットワーク中にある。
【００２８】
通信システム、方法、および移動体ユーザ機器の有利な一実装形態では、通信システムのアクセスネットワークの少なくとも１つが、少なくとも１つの決定を実行する手段を含む。
【００２９】
通信システム、方法、および移動体ユーザ機器の好ましい一実施形態では、コアネットワークが、少なくとも１つの決定を実行する手段を含む。
【００３０】
通信システム、方法、および移動体ユーザ機器の有利な別の一実装形態では、移動体ユーザ機器が、少なくとも１つの決定を実行する手段を含む。
【００３１】
通信システム、方法、および移動体ユーザ機器の好ましい一実施形態では、通信システムのアクセスネットワークの少なくとも１つが、少なくとも１つの決定を下す手段を含む。
【００３２】
通信システム、方法、および移動体ユーザ機器の有利な別の一実装形態では、コアネットワークが、少なくとも１つの決定を下す手段を含む。
【００３３】
通信システム、方法、および移動体ユーザ機器の好ましい一実施形態では、移動体ユーザ機器が、少なくとも１つの決定を下す手段を含む。
【００３４】
通信システム、方法、および移動体ユーザ機器の好ましい一実施形態では、通信システムは、システム間ハンドオーバが必要かどうかについて少なくとも１つの決定を下す手段を含む。
【００３５】
通信システム、方法、および移動体ユーザ機器の有利な一実装形態では、システム間ハンドオーバが必要かどうかについて少なくとも１つの決定を下す手段はデバイス（ＤＰＨ）である。
【００３６】
通信システム、方法、および移動体ユーザ機器の有利な別の一実装形態では、デバイス（ＤＰＨ）は、アクセスネットワーク（ＡＮ）中にある。
【００３７】
通信システム、方法、および移動体ユーザ機器の有利な一実装形態では、デバイスは、無線ネットワークコントローラ中にある。
【００３８】
通信システム、方法、および移動体ユーザ機器の有利な別の一実装形態では、デバイスは、コアネットワーク（ＣＮ）中にある。
【００３９】
通信システム、方法、および移動体ユーザ機器の有利な一実装形態では、基地局制御局（ＢＳＣ）および１つまたは複数の無線基地局（ＢＴＳ）が、通信システムのアクセスネットワークを構成する。汎欧州デジタル移動電話方式（ＧＳＭ）の実装形態においては、あらゆる移動体ユーザ機器が、１つの無線基地局（ＢＴＳ）にリンクされる。世界規模の移動体通信サービス（ＵＭＴＳ）の実装形態のような他のアクセスシステムでは、各移動体ユーザ機器が、複数の無線基地局（ＢＴＳ）とコンタクトすることができる。
【００４０】
通信システム、方法、および移動体ユーザ機器の好ましい一実施形態では、第１のアクセスシステムから第２のアクセスシステムへのシステム間ハンドオーバを行うべきかどうかを評価し、システム間ハンドオーバが必要な場合は、少なくとも１つの通信をハンドオーバすることができる。
【００４１】
通信システム、方法、および移動体ユーザ機器の有利な一実装形態では、アクセスネットワークは、移動体ユーザ機器にシステム間ハンドオーバ照会を送信する。
【００４２】
通信システム、方法、および移動体ユーザ機器の好ましい一実施形態では、アクセスネットワークは、システム間ハンドオーバ照会を移動体ユーザ機器に送信する前に、コアネットワークに信号で知らせる。
【００４３】
通信システム、方法、および移動体ユーザ機器の有利な別の一実装形態では、コアネットワークは、サポートできる通信に関する情報を追加する。
【００４４】
この情報は、少なくとも１つのアクセスシステムの能力、特に通信がハンドオーバされる相手であるアクセスシステムの能力に基づく。
【００４５】
通信システム、方法、および移動体ユーザ機器の有利な一実装形態では、移動体ユーザが、第２のアクセスシステムにハンドオーバすべき通信について決定する。
【００４６】
この決定は、適した時ならいつでも行うことができ、例えば、通信のセットアップ・メッセージ中、またはシステム間ハンドオーバが必要であるという信号の後で行うことができる。
【００４７】
通信システム、方法、および移動体ユーザ機器の好ましい一実施形態では、移動体ユーザ機器は、第２のアクセスシステムにハンドオーバすべき通信についてアクセスネットワークに通知する。
【００４８】
通信システム、方法、および移動体ユーザ機器の有利な一実装形態では、移動体ユーザ機器は、通信セットアップ時に第２のアクセスシステムにハンドオーバすべき通信についてアクセスネットワークに通知する。
【００４９】
通信システム、方法、および移動体ユーザ機器の好ましい一実施形態では、移動体ユーザ機器は、第２のアクセスシステムに向けたシステム間ハンドオーバに対するシステム間ハンドオーバ照会を受信し、その後、移動体ユーザ機器は、第２のアクセスシステム中で維持できないすべての接続を切断する。
【００５０】
通信システム、方法、および移動体ユーザ機器の有利な別の一実装形態では、コアネットワークは、どの通信を第２のアクセスシステムにハンドオーバすべきかを決定する。
【００５１】
どの通信を第２のアクセスシステムにハンドオーバすべきかについての決定には、通信をハンドオーバしない場合も含まれる。システム間ハンドオーバは、アクセスシステム、移動体ユーザ機器、またはモバイル・ユーザによって拒否される場合がある。例えば、移動体ユーザは、第１のアクセスシステムによってカバーされるサービスエリア内に留まることを決定することもできる。
【００５２】
通信システム、方法、および移動体ユーザ機器の有利な一実装形態では、移動体ユーザ機器は、可能性あるシステム間ハンドオーバについてモバイル・ユーザに通知するための情報インタフェース、例えば、視覚、オーディオ、および／または触覚によるインジケータ、例としては明滅するライトを含む。したがって移動体ユーザは、第１のアクセスシステムによってカバーされるサービスエリアの外に移動するのをやめることにより、システム間ハンドオーバを回避することができる。
【００５３】
通信システム、方法、および移動体ユーザ機器の好ましい一実施形態では、コアネットワークは、第２のアクセスシステム中で維持できないすべての呼を切断する。
【００５４】
通信システム、方法、および移動体ユーザ機器の有利な一実装形態では、移動体ユーザ機器（ＭＵＥ）が第１のアクセスシステムと第２のアクセスシステムの間を移動することになる場合にハンドオーバされる通信についての少なくとも１つの決定は、少なくとも１つの事前設定に依存する。
【００５５】
通信システム、方法、および移動体ユーザ機器の好ましい一実施形態では、事前設定は、移動体ユーザ機器内にある。
【００５６】
通信システム、方法、および移動体ユーザ機器の有利な一実装形態では、事前設定は、初期ユーザ機器（ＩＵＥ）メッセージ内および／またはセットアップ・メッセージ内でコアネットワークに転送される。
【００５７】
初期ユーザ機器（ＩＵＥ）メッセージは、セットアップメッセージの前にセットアップメッセージとは関係なく送信されるメッセージであり、少なくともシステム間ハンドオーバに対する事前設定についての情報を含む。
【００５８】
通信システム、方法、および移動体ユーザ機器の有利な別の一実装形態では、コアネットワークが移動体ユーザ機器に要求を送信した後で、事前設定に依存するメッセージがコアネットワークに送信される。
【００５９】
通信システム、方法、および移動体ユーザ機器の好ましい一実施形態では、このメッセージは、事前設定のみに依存する。
【００６０】
通信システム、方法、および移動体ユーザ機器の有利な一実装形態では、メッセージはまた、移動体ユーザのアクティブな決定にも依存する。
【００６１】
通信システム、方法、および移動体ユーザ機器の有利な別の一実装形態では、事前設定は、アクセスネットワーク内および／またはコアネットワーク内に記憶される。
【００６２】
通信システム、方法、および移動体ユーザ機器の好ましい一実施形態では、事前設定は、異なる移動体ユーザごとに異なるものとすることができる。
【００６３】
通信システム、方法、および移動体ユーザ機器の有利な一実装形態では、事前設定は、すべてのユーザに対して同一である。
【００６４】
通信システム、方法、および移動体ユーザ機器の好ましい一実施形態では、事前設定は、異なる通信カテゴリごとに異なるものとすることができる。異なる通信カテゴリの例は、音声またはデータの呼である。
【００６５】
通信システム、方法、および移動体ユーザ機器の有利な一実装形態では、事前設定は、異なる優先順位ごとに異なるものとすることができる。
【００６６】
優先的な呼の一例は、緊急の呼である。
【００６７】
通信システム、方法、および移動体ユーザ機器の好ましい一実施形態では、事前設定は、オペレータによって定義および／または修正される。
【００６８】
通信システム、方法、および移動体ユーザ機器の有利な一実装形態では、事前設定は、モバイル・ユーザによって定義および／または修正される。
【００６９】
通信システム、方法、および移動体ユーザ機器の有利な別の一実装形態では、通信のうちの少なくとも１つが、システム間ハンドオーバの前に保留され、システム間ハンドオーバの後に保留のまま保たれる。
【００７０】
本発明はまた、複数話者による呼をハンドオーバする問題も解決する。１つまたは複数の通信が保留にされた場合、後でその通信を再開することが可能である。しかし、システム間ハンドオーバの前に少なくとも１つの通信を保留にして、システム間ハンドオーバの後も保留のままに保ち、後でその通信を再開する方法はまた、データ通信としての他の通信にも適用される。例えば、実行中の通話および実行中のファイルダウンロードを伴った移動体ユーザ機器が、同時通信を１つしか可能にしないアクセスシステムの方へ移動する場合、そのデータ通信は保留にされ、後で、とりわけ移動体ユーザ機器が通話を終了した後、または複数の同時通信ができる第３のアクセスシステムの方へ再び移動した後、再開される。
【００７１】
通信システム、方法、および移動体ユーザ機器の好ましい一実施形態では、移動体ユーザ機器（ＭＵＥ）が通信を保留にする。
【００７２】
通信システム、方法、および移動体ユーザ機器の有利な別の一実装形態では、コアネットワーク（ＣＮ）が通信を保留にする。
【００７３】
通信システム、方法、および移動体ユーザ機器の好ましい一実施形態では、移動体ユーザは、システム間ハンドオーバの前に通知を受ける。これにより、移動体ユーザは、維持したいと思う通信について決定することができる。
【００７４】
以下に、例および図を用いて本発明をさらに述べる。
【００７５】
図１、２、３、４、５、６、８、９、１０、１１により、本発明を、第１のアクセスシステムとしての世界規模の移動体通信サービス（ＵＭＴＳ）から汎欧州デジタル移動電話方式（ＧＳＭ）へのシステム間ハンドオーバに関連して述べる。しかし、これらの例は、世界規模の移動体通信サービス（ＵＭＴＳ）から汎欧州デジタル移動電話方式（ＧＳＭ）へのシステム間ハンドオーバに限定したものではなく、多数の同時通信を用いるアクセスシステムとより少ない同時通信を用いるアクセスシステムとの間の、あらゆるタイプのハンドオーバを含む。異なる数の同時通信は、技術的および技術的以外の理由を有する場合があり、これは、例えば、異なるアクセスシステム運用者である。話を簡単にするために、第２のアクセスシステムに属する第２のコアネットワークは、図から省いてある。
【００７６】
移動体ユーザ機器ＭＵＥが第１のアクセスシステムと第２のアクセスシステムの間を移動することになる場合にどの通信がハンドオーバされるかについて少なくとも１つの決定を下すことができる手段を、以後、論理要素ＬＥによって述べる。この少なくとも１つの決定を実行する手段を、以後、実行要素ＥＥの例によって述べる。これらの要素は、物理的にも仮想的にも実現することができる。
【００７７】
図１、２、３、４、５、６、７、８、９、１０、または１１によるシーケンスは、信号転送プロセスの一部にすぎない。
【００７８】
ＵＭＴＳからＧＳＭへの効率的なシステム間ハンドオーバを達成するために、システム間ハンドオーバが必要かどうかを決定するための様々な解決法を実装することができる。これらはそれぞれ、図１、２、３、４、５、６、７、８、９、１０、または１１による各シーケンスと組み合わせることができる。
【００７９】
少なくとも１つのメッセージが、測定制御ＭＣＴを含むことが好ましい。測定制御ＭＣＴは、以下の方式のうちの１つで最も有利に行われ、アクセスネットワークＡＮが、測定を行うように移動体ユーザ機器ＭＵＥにコマンドを発する。測定のタイプは、アクセスシステムの物理パラメータに適合させることができる。
測定の例は以下の通りである。
【００８０】
無線リンク測定。この場合、測定は、アクティブセット中のダウンリンク無線リンクに対して行われる。
【００８１】
周波数内測定。この場合、アクティブセットに属していないがアクティブセットと同じ周波数を有するダウンリンク物理チャネルに対する測定が行われる。
【００８２】
周波数間測定。この場合、アクティブセットの周波数とは異なる周波数を有するダウンリンク物理チャネルに対する測定が行われる。
【００８３】
システム間測定。この場合、そのアクセスネットワークＡＮとは別の無線アクセスシステムに属するダウンリンク物理チャネルに対する測定が行われる。
【００８４】
トラフィック量測定。この場合、アップリンクのトラフィック量に対する測定が行われる。
【００８５】
その後、移動体ユーザ機器ＭＵＥは、測定報告をアクセスネットワークＡＮに提供する。
【００８６】
図１に、本発明の第１の有利な実装形態を示す。
【００８７】
移動体ユーザ機器ＭＵＥと、通信システムの第１のアクセスシステムとの間で通信がセットアップされる。
【００８８】
規格に対する実際上の命題は、各通信に対するセットアップメッセージを少なくとも１つ含む。第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【００８９】
永続的に、またはある間隔の後、移動体ユーザ機器とアクセスネットワークの間のアクティブな無線リンクの数がチェックされる。この数が少ない場合、特にリンクが１つしか見つからない場合は、測定が行われる。
【００９０】
移動体ユーザ機器が第１のアクセスシステムのいくつの基地局と接触しているかが評価されるのが好ましい。この数が少ない場合、特に移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、システム間ハンドオーバを行うべきかどうかを決定する。これにより、ハンドオーバが必要であるという決定がより早く行われる。
【００９１】
測定のタイプは、アクセスシステムの物理パラメータに適合される。測定の例は、無線リンク測定、周波数内測定、周波数間測定、またはトラフィック量測定である。
【００９２】
測定報告ＭＲＴが、移動体ユーザ機器ＭＵＥからアクセスネットワークＡＮに送信される。
【００９３】
アクセスネットワークＡＮは、システム間ハンドオーバが必要かどうかを決定することのできるデバイスＤＰＨと、どの通信をハンドオーバすべきかを決定するための論理要素ＬＥを備える。
【００９４】
システム間ハンドオーバが必要であるとデバイスＤＰＨが決定した場合、手順は以下に述べるように進む。
【００９５】
アクセスネットワークＡＮは、少なくとも１つのハンドオーバ要求信号ＨＲＱにより、ネットワーク間ハンドオーバが必要であるとコアネットワークＣＮに通知する。
【００９６】
コアネットワークＣＮは、システム間ハンドオーバを実行するための実行要素ＥＥを備える。
【００９７】
コアネットワークＣＮは、ハンドオーバを要求しているというメッセージＨＲＥを、第２のアクセスシステム、特に、汎欧州デジタル移動電話方式ＧＳＭの、基地局制御局ＢＳＣに送信する。この信号は、図１に表すシーケンス図に従った一ステップである。
【００９８】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【００９９】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０１００】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０１０１】
基地局制御局ＢＳＣは、その後、ハンドオーバ検出信号ＨＤＴをコアネットワークＣＮに送信する。
【０１０２】
ハンドオーバの完了後、移動体ユーザ機器ＭＵＥは、ハンドオーバ完了ＨＣＰ信号を基地局制御局ＢＳＣに送信する。
【０１０３】
基地局制御局ＢＳＣは、そのハンドオーバ完了信号ＨＣＰをコアネットワークＣＮに送信する。
【０１０４】
第１の数ｎ個の通信が確立されており、より少ない第２の数ｍ個の通信がハンドオーバされる場合、ｎ−ｍ個の通信が解放されなければならない。
【０１０５】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０１０６】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０１０７】
第１のアクセスネットワークへの信号送信接続をクリアするために、コアネットワークＣＮは、クリアコマンドＣＣＭをアクセスネットワークＡＮに送信する。アクセスネットワークＡＮは、その後、クリア完了ＣＣＰ信号をコアネットワークに送信する。
【０１０８】
図２に、本発明の第２の有利な実装形態を示す。
【０１０９】
移動体ユーザ機器ＭＵＥと、通信システムの第１のアクセスシステムとの間で通信がセットアップされる。
【０１１０】
第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【０１１１】
移動体ユーザ機器が第１のアクセスシステムのいくつの基地局と接触しているかが評価される。この数が少ない場合、特に、移動体ユーザ機器が第１のアクセスシステムの基地局１つだけにしか接続されていない場合は、第１のアクセスシステムＡＮ、特に、世界規模の移動体通信サービスＵＭＴＳのアクセスネットワークＡＮが、測定を行うように移動体ユーザ機器ＭＵＥにコマンドを発する。
【０１１２】
測定のタイプは、アクセスシステムの物理パラメータに適合される。測定の例は、無線リンク測定、周波数内測定、周波数間測定、またはトラフィック量測定である。
【０１１３】
測定報告ＭＲＴが、移動体ユーザ機器ＭＵＥからアクセスネットワークＡＮに送信される。
【０１１４】
アクセスネットワークＡＮは、システム間ハンドオーバが必要かどうかを決定することのできるデバイスＤＰＨを備える。
【０１１５】
システム間ハンドオーバが必要であるとデバイスＤＰＨが決定した場合、手順は以下に述べるように進む。
【０１１６】
アクセスネットワークＡＮは、少なくとも１つのハンドオーバ要求信号ＨＲＱにより、システム間ハンドオーバが必要であるとコアネットワークＣＮに通知する。
【０１１７】
コアネットワークＣＮは、どの通信がハンドオーバされるかを決定するための論理要素ＬＥと、システム間ハンドオーバを実行するための実行要素ＥＥを備える。
【０１１８】
コアネットワークＣＮは、ハンドオーバを要求しているというメッセージＨＲＥを、第２のアクセスシステム、特に、汎欧州デジタル移動電話方式ＧＳＭの基地局制御局ＢＳＣに送信する。
【０１１９】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０１２０】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０１２１】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０１２２】
基地局制御局ＢＳＣは、その後、ハンドオーバ検出信号ＨＤＴをコアネットワークＣＮに送信する。
【０１２３】
システム間ハンドオーバの完了後、移動体ユーザ機器ＭＵＥは、ハンドオーバ完了ＨＣＰ信号を基地局制御局ＢＳＣに送信する。
【０１２４】
基地局制御局ＢＳＣは、そのハンドオーバ完了信号ＨＣＰをコアネットワークＣＮに送信する。
【０１２５】
通信は、移動体ユーザ機器ＭＵＥと通信システムの第１のアクセスシステムとの通信が切断される前に解放される。
【０１２６】
第１の数ｎ個の通信が確立されており、より少ない第２の数ｍ個の通信がハンドオーバされる場合、ｎ−ｍ個の通信が解放されなければならない。
【０１２７】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０１２８】
効果的に、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０１２９】
第１のアクセスネットワークへの信号送信接続をクリアするために、コアネットワークＣＮは、クリア・コマンドＣＣＭをアクセスネットワークＡＮに送信する。アクセスネットワークＡＮは、その後、クリア完了ＣＣＰ信号をコアネットワークに送信する。
【０１３０】
図３に、本発明の第３の有利な実装形態を示す。
【０１３１】
この実装形態は、移動体ユーザ機器ＭＵＥが、通信システムのコアネットワークＣＮに、維持する呼に関する情報を含む初期ユーザ機器メッセージＩＵＥを送信するという概念を利用する。この情報は、通信システムのサービス価値に応じて、いくつかの呼をハンドオーバするための優先順位または決定順位とすることができる。
【０１３２】
この好ましい実施形態では、維持する呼に関する情報ＩＵＥは、通信が確立される前に送信される。しかし、維持する呼に関する情報を後で送信することもまた、セットアップメッセージ中で可能である。
【０１３３】
維持する呼に関する情報ＩＵＥが移動体ユーザ機器ＭＵＥから通信システムのコアネットアークＣＮに送信された後、コアネットワークＣＮは、肯定応答信号ＡＣＫを移動体ユーザ機器ＭＵＥに送信することができる。ただし、これは必ずしも必要なことではない。
【０１３４】
移動体ユーザ機器ＭＵＥと、通信システムの第１のアクセスシステムとの間で通信がセットアップされる。
【０１３５】
第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【０１３６】
移動体ユーザ機器が第１のアクセスシステムのいくつの基地局とコンタクトしているかが評価される。この数が少ない場合、特に、移動体ユーザ機器が第１のアクセスシステムの基地局１つだけにしか接続されていない場合は、アクセスネットワークＡＮが、測定を行うように移動体ユーザ機器ＭＵＥにコマンドを発する。
【０１３７】
測定のタイプは、アクセスシステムの物理パラメータに適合される。測定の例は、無線リンク測定、周波数内測定、周波数間測定、またはトラフィック量測定である。
【０１３８】
測定報告ＭＲＴが、移動体ユーザ機器ＭＵＥからアクセスネットワークＡＮに送信される。
【０１３９】
アクセスネットワークＡＮは、システム間ハンドオーバが必要かどうかを決定することのできるデバイスＤＰＨを備える。
【０１４０】
システム間ハンドオーバが必要であるとデバイスＤＰＨが決定した場合、手順は以下に述べるように進む。
【０１４１】
アクセスネットワークＡＮは、少なくとも１つのハンドオーバ要求信号ＨＲＱにより、システム間ハンドオーバが必要であるとコアネットワークＣＮに通知する。
【０１４２】
コアネットワークＣＮは、論理要素と、システム間ハンドオーバを実行するための実行要素ＥＥを備える。
【０１４３】
コアネットワークＣＮは、第２のアクセスシステム、特に、汎欧州デジタル移動電話方式ＧＳＭの基地局制御局ＢＳＣに、システム間ハンドオーバを要求していることを通知する。
【０１４４】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０１４５】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０１４６】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０１４７】
基地局制御局ＢＳＣは、その後、ハンドオーバ検出信号ＨＤＴをコアネットワークＣＮに送信する。
【０１４８】
システム間ハンドオーバの完了後、移動体ユーザ機器ＭＵＥは、ハンドオーバ完了ＨＣＰ信号を基地局制御局ＢＳＣに送信する。
【０１４９】
基地局制御局ＢＳＣは、そのハンドオーバ完了信号ＨＣＰをコアネットワークＣＮに送信する。
【０１５０】
通信は、移動体ユーザ機器ＭＵＥと通信システムの第１のアクセスシステムとの通信が切断される前に解放される。
【０１５１】
第１の数ｎ個の通信が確立されており、より少ない第２の数ｍ個の通信がハンドオーバされる場合、ｎ−ｍ個の通信が解放されなければならない。
【０１５２】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０１５３】
効果的に、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０１５４】
第１のアクセスネットワークへの信号送信接続をクリアするために、コアネットワークＣＮはクリアコマンドＣＣＭをアクセスネットワークＡＮに送信する。アクセスネットワークＡＮは、その後、クリア完了ＣＣＰ信号をコアネットワークに送信する。
【０１５５】
図４に、本発明の第４の有利な実装形態を示す。
【０１５６】
移動体ユーザ機器ＭＵＥと、通信システムの第１のアクセスシステムとの間で通信がセットアップされる。
【０１５７】
第１の数ｎ個の通信が確立される場合、ｎ個のセットアップメッセージＳＵが送信される。ただし、図が容易に理解されるように、セットアップメッセージＳＵを１本の矢印で表す。効果的に、セットアップメッセージＳＵはｎ回繰り返される。
【０１５８】
移動体ユーザ機器が第１のアクセスシステムのいくつの基地局とコンタクトしているかが評価される。この数が少ない場合、特に、移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、測定を行うように移動体ユーザ機器ＭＵＥにコマンドを発する。
【０１５９】
測定のタイプは、アクセスシステムの物理パラメータに適合される。測定の例は、無線リンク測定、周波数内測定、周波数間測定、またはトラフィック量測定である。
【０１６０】
測定報告ＭＲＴが、移動体ユーザ機器ＭＵＥからアクセスネットワークＡＮに送信される。
【０１６１】
アクセスネットワークＡＮは、システム間ハンドオーバが必要かどうかを決定することのできるデバイスＤＰＨを備える。
【０１６２】
移動体ユーザ機器ＭＵＥは、どの通信がハンドオーバされるかを決定することのできる論理要素ＬＥを備える。
【０１６３】
システム間ハンドオーバが必要であるとデバイスＤＰＨが決定した場合、手順は以下に述べるように進む。
【０１６４】
どの通信を保存しておくべきかを移動体ユーザ機器ＭＵＥに尋ねるために、ハンドオーバ照会ＨＱがアクセスネットワークＡＮから移動体ユーザ機器ＭＵＥに信号で送られる。その後、移動体ユーザ機器は、ハンドオーバ応答ＨＲＰをアクセスネットワークＡＮに送信する。アクセスネットワークＡＮは、少なくとも１つのハンドオーバ要求信号ＨＲＱにより、システム間ハンドオーバが必要であることをコアネットワークＣＮに通知する。
【０１６５】
コアネットワークＣＮは、第２のアクセスシステム、特に、汎欧州デジタル移動電話方式ＧＳＭの基地局制御局ＢＳＣにハンドオーバ要求信号ＨＲＥを送信することにより、システム間ハンドオーバを要求していることを基地局制御局ＢＳＣに通知する。
【０１６６】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０１６７】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０１６８】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０１６９】
基地局制御局ＢＳＣは、その後、システム間ハンドオーバ検出信号ＨＤＴをコアネットワークＣＮに送信する。
【０１７０】
システム間ハンドオーバの完了後、移動体ユーザ機器ＭＵＥは、ハンドオーバ完了ＨＣＰ信号を基地局制御局ＢＳＣに送信する。
【０１７１】
基地局制御局ＢＳＣは、そのハンドオーバ完了信号ＨＣＰをコアネットワークＣＮに送信する。
【０１７２】
通信は、移動体ユーザ機器ＭＵＥと通信システムの第１のアクセスシステムとの通信が切断される前に解放される。
【０１７３】
第１の数ｎ個の通信が確立されており、より少ない第２の数ｍ個の通信がハンドオーバされる場合、ｎ−ｍ個の通信が解放されなければならない。
【０１７４】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０１７５】
効果的に、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０１７６】
第１のアクセスネットワークへの信号送信接続をクリアするためにコアネットワークＣＮは、クリアコマンドＣＣＭをアクセスネットワークＡＮに送信する。アクセスネットワークＡＮは、その後、クリア完了ＣＣＰ信号をコアネットワークに送信する。
【０１７７】
図５に、本発明の第５の有利な実装形態を示す。
【０１７８】
移動体ユーザ機器ＭＵＥと、通信システムの第１のアクセスシステムとの間で通信がセットアップされる。
【０１７９】
第１の数ｎ個の通信が確立される場合、ｎ個のセットアップメッセージＳＵが送信される。ただし、図が容易に理解されるように、セットアップメッセージＳＵを１本の矢印で表す。効果的に、セットアップメッセージＳＵはｎ回繰り返される。
【０１８０】
移動体ユーザ機器が第１のアクセスシステムのいくつの基地局とコンタクトしているかが評価される。この数が少ない場合、特に、移動体ユーザ機器が第１のアクセスシステムの基地局１つだけにしか接続されていない場合は、第１のアクセスシステムのアクセスネットワークＡＮ、特に、世界規模の移動体通信サービスＵＭＴＳの地上無線アクセス網ＵＴＲＡＮが、測定を行うように移動体ユーザ機器ＭＵＥにコマンドを発する。
【０１８１】
測定のタイプは、アクセスシステムの物理パラメータに適合される。測定の例は、無線リンク測定、周波数内測定、周波数間測定、またはトラフィック量測定である。
【０１８２】
測定報告ＭＲＴが、移動体ユーザ機器ＭＵＥからアクセスネットワークＡＮに送信される。
【０１８３】
アクセスネットワークＡＮは、システム間ハンドオーバが必要かどうかを決定することのできるデバイスＤＰＨを備える。
【０１８４】
移動体ユーザ機器ＭＵＥは、どの通信がハンドオーバされるかを決定することのできる論理要素ＬＥを備える。
【０１８５】
システム間ハンドオーバが必要であるとデバイスＤＰＨが決定した場合、手順は以下に述べるように進む。
【０１８６】
アクセスネットワークＡＮは、コアネットワークＣＮに能力要求ＣＲＱを送信する。コアネットワークＣＮは、ネットワーク中の能力についての測定および／または計算を行う能力分析要素ＣＡＥを備える。したがって、能力分析要素ＣＡＥは、ネットワークの能力を決定する手段である。
【０１８７】
その後、能力応答ＣＡがアクセスネットワークＡＮに送信されるが、この内容は、利用可能として能力分析要素ＣＡＥが通知した能力によって決まる。
【０１８８】
どの通信を保存しておくべきかを移動体ユーザ機器ＭＵＥに尋ねるために、ハンドオーバ照会ＨＱがアクセスネットワークＡＮから移動体ユーザ機器ＭＵＥに信号で送られる。その後、移動体ユーザ機器は、ハンドオーバ応答ＨＲＰをアクセスネットワークＡＮに送信する。アクセスネットワークＡＮは、少なくとも１つのハンドオーバ要求信号ＨＲＱにより、システム間ハンドオーバが必要であることをコアネットワークＣＮに通知する。
【０１８９】
コアネットワークＣＮは、第２のアクセスシステム、特に、汎欧州デジタル移動電話方式ＧＳＭの基地局制御局ＢＳＣにハンドオーバ要求信号ＨＲＥを送信することにより、システム間ハンドオーバを要求していることを基地局制御局ＢＳＣに通知する。
【０１９０】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０１９１】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０１９２】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０１９３】
基地局制御局ＢＳＣは、その後、ハンドオーバ検出信号ＨＤＴをコアネットワークＣＮに送信する。
【０１９４】
システム間ハンドオーバの完了後、移動体ユーザ機器ＭＵＥは、ハンドオーバ完了ＨＣＰ信号を基地局制御局ＢＳＣに送信する。
【０１９５】
基地局制御局ＢＳＣは、そのハンドオーバ完了信号ＨＣＰをコアネットワークＣＮに送信する。
【０１９６】
通信は、移動体ユーザ機器ＭＵＥと通信システムの第１のアクセスシステムとの通信が切断される前に解放される。
【０１９７】
第１の数ｎ個の通信が確立されており、より少ない第２の数ｍ個の通信がハンドオーバされる場合、ｎ−ｍ個の通信が解放されなれればならない。
【０１９８】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器は、その後、解放コマンドＲＣＭをコアネットワークＣＮに送信する。コアネットワークＣＮから移動体ユーザ機器ＭＵＥに、解放完了信号ＲＣＰが送信される。
【０１９９】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０２００】
第１のアクセスネットワークへの信号送信接続をクリアするために、コアネットワークＣＮは、クリアコマンドＣＣＭをアクセスネットワークＡＮに送信する。アクセスネットワークＡＮは、その後、クリア完了ＣＣＰ信号をコアネットワークに送信する。
【０２０１】
図６に従って、移動体ユーザ機器が論理要素ＬＥおよび実行要素ＥＥを備える代替解決法を説明する。
【０２０２】
移動体ユーザ機器ＭＵＥと、通信システムの第１のアクセスシステムとの間で通信がセットアップされる。
【０２０３】
第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【０２０４】
移動体ユーザ機器が第１のアクセスシステムのいくつの基地局とコンタクトしているかが評価される。この数が少ない場合、特に、移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、測定を行うように移動体ユーザ機器ＭＵＥにコマンドを発する。
【０２０５】
測定のタイプは、アクセスシステムの物理パラメータに適合される。測定の例は、無線リンク測定、周波数内測定、周波数間測定、またはトラフィック量測定である。
【０２０６】
測定報告ＭＲＴが、移動体ユーザ機器ＭＵＥからアクセスネットワークＡＮに送信される。
【０２０７】
アクセスネットワークＡＮは、システム間ハンドオーバが必要かどうかを決定することのできるデバイスＤＰＨを備える。
【０２０８】
移動体ユーザ機器ＭＵＥは、どの通信がハンドオーバされるかを決定することのできる論理要素ＬＥを備える。
【０２０９】
システム間ハンドオーバが必要であるとデバイスＤＰＨが決定した場合、手順は以下に述べるように進む。
【０２１０】
アクセスネットワークＡＮは、コアネットワークＣＮに能力要求ＣＲＱを送信することができる。コアネットワークＣＮは、ネットワーク中の能力についての測定および／または計算を行う能力分析要素ＣＡＥを備える。したがって、能力分析要素ＣＡＥは、ネットワークの能力を決定する手段である。
【０２１１】
その後、能力応答ＣＡがアクセスネットワークＡＮに送信されるが、この内容は、利用可能として能力分析要素ＣＡＥが通知した能力によって決まる。
【０２１２】
分析要素ＣＡＥ、ならびに能力要求ＣＲＱおよび能力応答ＣＡは、有利ではあるが、必要というわけではない。
【０２１３】
ハンドオーバ照会ＨＱが、アクセスネットワークＡＮから移動体ユーザ機器ＭＵＥに信号で送られる。その後、移動体ユーザ機器は、ハンドオーバ応答ＨＲＰをアクセスネットワークＡＮに送信する。
【０２１４】
移動体ユーザは、ハンドオーバの場合に移動体ユーザ機器ＭＵＥの少なくとも１つの通信が中断されることになると通知された後、第１のアクセスシステム内にとどまることを決定する。アクセスネットワークは、ハンドオーバ応答メッセージＨＲＰによって、これについての通知を受ける。
【０２１５】
図７に従って説明される本発明の好ましい一実施形態は、移動体ユーザ機器ＭＵＥ内に論理要素ＬＥを備える。論理要素ＬＥは、移動体ユーザ機器ＭＵＥが第１のアクセスシステムと第２のアクセスシステムの間を移動することになる場合にどの通信がハンドオーバされるかを決定することができる。
【０２１６】
移動体ユーザ機器ＭＵＥと、通信システムの第１のアクセスシステムとの間で通信がセットアップされる。
【０２１７】
第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【０２１８】
セットアップメッセージＳＵの一部として、移動体ユーザ機器ＭＵＥは、ハンドオーバすべき通信についてアクセスネットワークＡＮに通知する。
【０２１９】
アクセスネットワークＡＮは、システム間ハンドオーバが必要かどうかを決定することのできるデバイスＤＰＨを備える。
【０２２０】
システム間ハンドオーバが必要であるとデバイスＤＰＨが決定した場合、手順は以下に述べるように進む。
【０２２１】
アクセスネットワークＡＮは、少なくとも１つのハンドオーバ要求信号ＨＲＱにより、システム間ハンドオーバが必要であることをコアネットワークＣＮに通知する。
【０２２２】
コアネットワークＣＮは、そのハンドオーバを実行するための実行要素ＥＥを含む。
【０２２３】
コアネットワークＣＮは、第２のアクセスシステム、特に、汎欧州デジタル移動電話方式ＧＳＭの基地局制御局ＢＳＣにハンドオーバ要求信号ＨＲＥを送信することにより、システム間ハンドオーバを要求していることを基地局制御局ＢＳＣに通知する。
【０２２４】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０２２５】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０２２６】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０２２７】
基地局制御局ＢＳＣは、その後、ハンドオーバ検出信号ＨＤＴをコアネットワークＣＮに送信する。
【０２２８】
システム間ハンドオーバの完了後、移動体ユーザ機器ＭＵＥは、ハンドオーバ完了信号ＨＣＰを基地局制御局ＢＳＣに送信する。
【０２２９】
基地局制御局ＢＳＣは、そのハンドオーバ完了信号ＨＣＰをコアネットワークＣＮに送信する。
【０２３０】
通信は、移動体ユーザ機器ＭＵＥと通信システムの第１のアクセスシステムとの通信が切断される前に解放される。
【０２３１】
第１の数ｎ個の通信が確立されており、より少ない第２の数ｍ個の通信がハンドオーバされる場合、ｎ−ｍ個の通信が解放されなければならない。
【０２３２】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０２３３】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０２３４】
第１のアクセスネットワークへの信号送信接続をクリアするために、コアネットワークＣＮはクリアコマンドＣＣＭをアクセスネットワークＡＮに送信する。アクセスネットワークＡＮは、その後、クリア完了信号ＣＣＰをコアネットワークに送信する。
【０２３５】
図８に従って説明される本発明の好ましい実施形態では、移動体ユーザ機器ＭＵＥが、論理要素ＬＥ、ならびにハンドオーバを実行するための実行要素ＥＥを含む。
【０２３６】
移動体ユーザ機器ＭＵＥと、通信システムの第１のアクセスシステム、特に、世界規模の移動体通信サービスＵＭＴＳとの間で通信がセットアップされる。
【０２３７】
第１の数ｎ個の通信が確立される場合、ｎ個のセットアップメッセージＳＵが送信される。ただし、図が容易に理解されるように、セットアップメッセージＳＵを１本の矢印で表す。実際は、セットアップメッセージＳＵはｎ回繰り返される。
【０２３８】
セットアップメッセージＳＵの一部として、移動体ユーザ機器ＭＵＥは、ハンドオーバすべき通信についてアクセスネットワークＡＮに通知する。
【０２３９】
移動体ユーザ機器が第１のアクセスシステムのいくつの基地局とコンタクトしているかが評価される。この数が少ない場合、特に、移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、測定を行うように移動体ユーザ機器ＭＵＥにコマンドを発する。
【０２４０】
測定のタイプは、アクセスシステムの物理パラメータに適合される。測定の例は、無線リンク測定、周波数内測定、周波数間測定、またはトラフィック量測定である。
【０２４１】
測定報告ＭＲＴが、移動体ユーザ機器ＭＵＥからアクセスネットワークＡＮに送信される。
【０２４２】
アクセスネットワークＡＮは、システム間ハンドオーバが必要かどうかを決定することのできるデバイスＤＰＨと、どの通信がハンドオーバされるかを決定するための論理要素ＬＥとを含む。
【０２４３】
システム間ハンドオーバが必要であるとデバイスＤＰＨが決定した場合、手順は以下に述べるように進む。
【０２４４】
第１のアクセスシステムのアクセスネットワークＡＮは、移動体ユーザ機器ＭＵＥにハンドオーバ照会ＨＱを送信する。
【０２４５】
その後、移動体ユーザ機器は、ハンドオーバ応答ＨＲＰをアクセスネットワークＡＮに送信する。移動体ユーザ機器ＭＵＥは、維持できない通信を切断する。アクセスネットワークは、少なくとも１つのハンドオーバ要求信号ＨＲＱにより、ネットワーク間ハンドオーバが必要であることをコアネットワークＣＮに通知する。
【０２４６】
コアネットワークＣＮは、第２のアクセスシステム、特に、汎欧州デジタル移動電話方式ＧＳＭの基地局制御局ＢＳＣにハンドオーバ要求信号ＨＲＥを送信することにより、システム間ハンドオーバを要求していることを基地局制御局ＢＳＣに通知する。
【０２４７】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０２４８】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０２４９】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０２５０】
基地局制御局ＢＳＣは、その後、ハンドオーバ検出信号ＨＤＴをコアネットワークＣＮに送信する。
【０２５１】
システム間ハンドオーバの完了後、移動体ユーザ機器ＭＵＥは、ハンドオーバ完了ＨＣＰ信号を基地局制御局ＢＳＣに送信する。
【０２５２】
基地局制御局ＢＳＣは、そのハンドオーバ完了信号ＨＣＰをコアネットワークＣＮに送信する。
【０２５３】
通信は、移動体ユーザ機器ＭＵＥと通信システムの第１のアクセスシステムとの通信が切断される前に解放される。
【０２５４】
第１の数ｎ個の通信が確立されており、より少ない第２の数ｍ個の通信がハンドオーバされる場合、ｎ−ｍ個の通信が解放されなければならない。
【０２５５】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０２５６】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０２５７】
第１のアクセスネットワークへの信号送信接続をクリアするために、コアネットワークＣＮは、クリアコマンドＣＣＭをアクセスネットワークＡＮに送信する。アクセスネットワークＡＮは、その後、クリア完了ＣＣＰ信号をコアネットワークに送信する。
【０２５８】
図９は、本発明の有利な一実装形態を示す。
【０２５９】
移動体ユーザ機器ＭＵＥと、通信システムの第１のアクセスシステムとの間で通信がセットアップされる。
【０２６０】
規格に対する実際上の提案には、各通信に対して少なくとも１つのセットアップメッセージを含む。第１の数ｎ個の通信が確立される場合、ｎ個のセットアップメッセージＳＵが送信される。ただし、図が容易に理解されるように、セットアップ・メッセージＳＵを１本の矢印で表す。実際には、セットアップメッセージＳＵはｎ回繰り返される。
【０２６１】
永続的に、またはある間隔の後、アクティブな無線リンクの数がチェックされる。この数が少ない場合、特にリンクが１つしか見つからない場合は、測定が行われる。
【０２６２】
移動体ユーザ機器が第１のアクセスシステムのいくつの基地局とコンタクトしているかが評価されるのが好ましい。この数が少ない場合、特に、移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、システム間ハンドオーバを行うべきかどうかを決定する。これにより、ハンドオーバが必要であるという決定がより早く行われる。
【０２６３】
測定のタイプは、アクセスシステムの物理パラメータに適合される。測定の例は、無線リンク測定、周波数内測定、周波数間測定、またはトラフィック量である。
【０２６４】
測定報告ＭＲＴが、移動体ユーザ機器ＭＵＥからアクセスネットワークＡＮに送信される。
【０２６５】
アクセスネットワークＡＮは、システム間ハンドオーバが必要かどうかを決定することのできるデバイスＤＰＨと、どの通信をハンドオーバすべきかを決定するための論理要素ＬＥを備える。
【０２６６】
システム間ハンドオーバが必要であるとデバイスＤＰＨが決定した場合、手順は以下に述べるように進む。
【０２６７】
アクセスネットワークＡＮは、少なくとも１つのハンドオーバ要求信号ＨＲＱにより、システム間ハンドオーバが必要であるとコアネットワークＣＮに通知する。
【０２６８】
コアネットワークＣＮは、システム間ハンドオーバを実行するための実行要素ＥＥを含む。
【０２６９】
移動体ユーザ機器は、少なくとも１つの呼を保留にする手段を含む。この手段は、保留実行要素ＨＥであることが好ましい。
【０２７０】
コアネットワークＣＮは、保留命令ＨＯを移動体ユーザ機器ＭＵＥに送信する。保留実行要素ＨＥは、要求された呼を保留にし、保留受諾ＨＯＡのためのメッセージをコアネットワークに送信する。述べた方向に保留命令ＨＯおよび保留受諾ＨＯＡを送信することは、どんなＧＳＭ規格の一部でもない。しかし、保留中の通信について移動体ユーザ機器に通知するのが好ましい。
【０２７１】
この実装形態では、会議の呼をハンドオーバし、かつ／または１つまたは複数の通信を保留にして、後で再開できるようにしておくことが可能である。
【０２７２】
コアネットワークＣＮは、ハンドオーバを要求しているというメッセージＨＲＥを、第２のアクセスシステム、特に、汎欧州デジタル移動電話方式ＧＳＭの基地局制御局ＢＳＣに送信する。この信号は、このシーケンス図に従った一ステップである。
【０２７３】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０２７４】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０２７５】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０２７６】
基地局制御局ＢＳＣは、その後、ハンドオーバ検出信号ＨＤＴをコアネットワークＣＮに送信する。
【０２７７】
システム間ハンドオーバの完了後、移動体ユーザ機器ＭＵＥは、ハンドオーバ完了ＨＣＰ信号を基地局制御局ＢＳＣに送信する。
【０２７８】
基地局制御局ＢＳＣは、そのハンドオーバ完了信号ＨＣＰをコアネットワークＣＮに送信する。
【０２７９】
通信は、移動体ユーザ機器ＭＵＥと通信システムの第１のアクセスシステムとの通信が切断される前に解放される。
【０２８０】
第１の数ｎ個の通信が確立されており、より少ない第２の数ｍ個の通信がハンドオーバされる場合、ｎ−ｍ個の通信が解放されなければならない。
【０２８１】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０２８２】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０２８３】
第１のアクセスネットワークへの信号送信接続をクリアするために、コアネットワークＣＮはクリアコマンドＣＣＭをアクセスネットワークＡＮに送信する。アクセスネットワークＡＮは、その後、クリア完了ＣＣＰ信号をコアネットワークに送信する。
【０２８４】
図１０は本発明の有利な一実装形態を示す。
【０２８５】
移動体ユーザ機器ＭＵＥと、通信システムの第１のアクセスシステムとの間で通信がセットアップされる。
【０２８６】
規格に対する実際上の提案には、各通信に対する少なくとも１つのセットアップメッセージを含む。第１の数ｎ個の通信が確立される場合、ｎ個のセットアップメッセージＳＵが送信される。ただし、図が容易に理解されるように、セットアップメッセージＳＵを１本の矢印で表す。実際は、セットアップメッセージＳＵはｎ回繰り返される。
【０２８７】
永続的に、またはある間隔の後、アクティブな無線リンクの数がチェックされる。この数が少ない場合、特にリンクが１つしか見つからない場合は、測定が行われる。
【０２８８】
移動体ユーザ機器が第１のアクセスシステムのいくつの基地局とコンタクトしているかが評価されるのが好ましい。この数が少ない場合、特に移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、システム間ハンドオーバを行うべきかどうかを決定する。これにより、ハンドオーバが必要であるという決定がより早く行われる。
【０２８９】
測定のタイプは、アクセスシステムの物理パラメータに適合される。測定の例は、無線リンク測定、周波数内測定、周波数間測定、またはトラフィック量測定である。
【０２９０】
測定報告ＭＲＴが、移動体ユーザ機器ＭＵＥからアクセスネットワークＡＮに送信される。
【０２９１】
アクセスネットワークＡＮは、システム間ハンドオーバが必要かどうかを決定することのできるデバイスＤＰＨと、どの通信をハンドオーバすべきかを決定するための論理要素ＬＥを含む。
【０２９２】
システム間ハンドオーバが必要であるとデバイスＤＰＨが決定した場合、手順は以下に述べるように進む。
【０２９３】
アクセスネットワークＡＮは、少なくとも１つのハンドオーバ要求信号ＨＲＱにより、ネットワーク間ハンドオーバが必要であるとコアネットワークＣＮに通知する。
【０２９４】
コアネットワークＣＮはハンドオーバを実行するための実行要素ＥＥを含む。
【０２９５】
コアネットワークＣＮは、ハンドオーバを要求しているというメッセージＨＲＥを、第２のアクセスシステム、特に、汎欧州デジタル移動電話方式ＧＳＭの基地局制御局ＢＳＣに送信する。この信号は、このシーケンス図に従った一ステップである。
【０２９６】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０２９７】
第１のアクセスシステム、特に、世界規模の移動体通信サービスＵＭＴＳ内では、ハンドオーバコマンドＨＣＭが、第１のアクセスシステムのアクセスネットワークＡＮに送信される。
【０２９８】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０２９９】
基地局制御局ＢＳＣは、その後、ハンドオーバ検出信号ＨＤＴをコアネットワークＣＮに送信する。
【０３００】
システム間ハンドオーバの完了後、移動体ユーザ機器ＭＵＥは、ハンドオーバ完了ＨＣＰ信号を基地局制御局ＢＳＣに送信する。
【０３０１】
基地局制御局ＢＳＣは、そのハンドオーバ完了信号ＨＣＰをコアネットワークＣＮに送信する。
【０３０２】
移動体ユーザ機器は、少なくとも１つの呼を保留にする手段を含む。この手段は、保留実行要素ＨＥであることが好ましい。
【０３０３】
コアネットワークＣＮは、保留命令ＨＯを移動体ユーザ機器ＭＵＥに送信する。保留実行要素ＨＥは、要求された呼を保留にし、保留受諾ＨＯＡのためのメッセージをコアネットワークに送信する。述べた方向に保留命令ＨＯおよび保留受諾ＨＯＡを送信することは、どんなＧＳＭ規格の一部でもない。しかし、保留中の通信について移動体ユーザ機器に通知するのが好ましい。
【０３０４】
この実装形態では、会議の呼をハンドオーバし、かつ／または１つまたは複数の通信を保留にして、後で再開できるようにしておくことが可能である。
【０３０５】
通信は、移動体ユーザ機器ＭＵＥと通信システムの第１のアクセスシステムとの通信が切断される前に解放される。
【０３０６】
第１の数ｎ個の通信が確立されており、アクティブおよび保留中の通信両方を含むより少ない第２の数ｍ個の通信がハンドオーバされる場合、ｎ−ｍ個の通信が解放されなければならない。
【０３０７】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０３０８】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰを２本の矢印で表す。
【０３０９】
第１のアクセスネットワークへの信号送信接続をクリアするために、コアネットワークＣＮはクリアコマンドＣＣＭをアクセスネットワークＡＮに送信する。アクセスネットワークＡＮは、その後、クリア完了ＣＣＰ信号をコアネットワークに送信する。
【０３１０】
図１１に従って説明される本発明の好ましい実施形態では、移動体ユーザ機器ＭＵＥが、論理要素ＬＥ、ならびにハンドオーバを実行するための実行要素ＥＥを含む。
【０３１１】
移動体ユーザ機器ＭＵＥと、通信システムの第１のアクセスシステム、特に、世界規模の移動体通信サービスＵＭＴＳとの間で通信がセットアップされる。
【０３１２】
第１の数ｎ個の通信が確立される場合、ｎ個のセットアップメッセージＳＵが送信される。ただし、図が容易に理解されるように、セットアップメッセージＳＵを１本の矢印で表す。実際には、セットアップメッセージＳＵはｎ回繰り返される。
【０３１３】
セットアップメッセージＳＵの一部として、移動体ユーザ機器ＭＵＥは、ハンドオーバすべき通信についてアクセスネットワークＡＮに通知する。
【０３１４】
移動体ユーザ機器が第１のアクセスシステムのいくつの基地局とコンタクトしているかが評価される。この数が少ない場合、特に移動体ユーザ機器が第１のアクセスシステムの基地局１つだけにしか接続されていない場合は、第１のアクセスシステム、特に、世界規模の移動体通信サービスＵＭＴＳのアクセスネットワークＡＮが、測定を行うように移動体ユーザ機器ＭＵＥにコマンドを発する。
【０３１５】
測定のタイプは、アクセスシステムの物理パラメータに適合される。測定の例は、無線リンク測定、周波数内測定、周波数間測定、またはトラフィック量測定である。
【０３１６】
測定報告ＭＲＴが、移動体ユーザ機器ＭＵＥからアクセスネットワークＡＮに送信される。
【０３１７】
アクセスネットワークＡＮは、システム間ハンドオーバが必要かどうかを決定することのできるデバイスＤＰＨと、どの通信がハンドオーバされるかを決定するための論理要素ＬＥを含む。
【０３１８】
システム間ハンドオーバが必要であるとデバイスＤＰＨが決定した場合、手順は以下に述べるように進む。
【０３１９】
第１のアクセスシステムのアクセスネットワークＡＮは、移動体ユーザ機器ＭＵＥにハンドオーバ照会ＨＱを送信する。
【０３２０】
その後、移動体ユーザ機器は、ハンドオーバ応答ＨＲＰをアクセスネットワークＡＮに送信する。アクセスネットワークは、少なくとも１つのハンドオーバ要求信号ＨＲＱにより、システム間ハンドオーバが必要であることをコアネットワークＣＮに通知する。
【０３２１】
移動体ユーザ機器は、少なくとも１つの呼を保留にする手段を含む。この手段は、保留実行要素ＨＥであることが好ましい。
【０３２２】
移動体ユーザ機器ＭＵＥは、保留命令ＨＯをコアネットワークＣＮに送信する。保留実行要素ＨＥは、要求された呼を保留にし、保留受諾ＨＯＡのためのメッセージを移動体ユーザ機器ＭＵＥに送信する。
【０３２３】
この実装形態では、会議の呼をハンドオーバし、かつ／または１つまたは複数の通信を保留にして、後で再開できるようにしておくことが可能である。
【０３２４】
コアネットワークＣＮは、第２のアクセスシステム、特に、汎欧州デジタル移動電話方式ＧＳＭの基地局制御局ＢＳＣにハンドオーバ要求信号ＨＲＥを送信することにより、システム間ハンドオーバを要求していることを基地局制御局ＢＳＣに通知する。
【０３２５】
その後、基地局制御局ＢＳＣは、例えば、要求された通信用資源が利用可能であることを示すために、ハンドオーバ要求受諾ＨＲＥＡのためのメッセージをコアネットワークＣＮに送信する。
【０３２６】
第１のアクセスシステム、特に、世界規模の移動体通信サービスＵＭＴＳ内では、ハンドオーバコマンドＨＣＭが、第１のアクセスネットワークのアクセスネットワークＡＮに送信される。
【０３２７】
アクセスネットワークＡＮは、その後、そのハンドオーバコマンドＨＣＭを移動体ユーザ機器ＭＵＥに送信する。移動体ユーザ機器ＭＵＥは、基地局制御局ＢＳＣにハンドオーバアクセスＨＡＣを送信する。
【０３２８】
基地局制御局ＢＳＣは、その後、ハンドオーバ検出信号ＨＤＴをコアネットワークＣＮに送信する。
【０３２９】
システム間ハンドオーバの完了後、移動体ユーザ機器ＭＵＥは、ハンドオーバ完了ＨＣＰ信号を基地局制御局ＢＳＣに送信する。
【０３３０】
基地局制御局ＢＳＣは、そのハンドオーバ完了信号ＨＣＰをコアネットワークＣＮに送信する。
【０３３１】
通信は、移動体ユーザ機器ＭＵＥと通信システムの第１のアクセスシステムとの通信が切断される前に解放される。
【０３３２】
第１の数ｎ個の通信が確立されており、より少ない第２の数ｍ個の通信がハンドオーバされる場合、ｎ−ｍ個の通信が解放されなければならない。
【０３３３】
ハンドオーバされない各通信につき、切断命令ＤＣ、解放コマンドＲＣＭ、および解放完了信号ＲＣＰが送信される。コアネットワークＣＮから移動体ユーザ機器ＭＵＥに、切断命令ＤＣが送信される。移動体ユーザ機器はその後、解放コマンドＲＣＭをコアネットワークＣＮに送信する。コアネットワークＣＮから移動体ユーザ機器ＭＵＥに、解放完了信号ＲＣＰが送信される。
【０３３４】
実際には、解放コマンドＲＣＭおよび解放完了信号ＲＣＰはｎ−ｍ回繰り返されて、ｎ−ｍ個の通信が解放される。ただし、図が容易に理解されるように、解放コマンドＲＣＭおよび解放完了信号ＲＣＰのメッセージを２本の矢印で表す。
【０３３５】
第１のアクセスネットワークへの信号送信接続をクリアするために、コアネットワークＣＮは、クリア・コマンドＣＣＭをアクセスネットワークＡＮに送信する。アクセスネットワークＡＮは、その後、クリア完了信号ＣＣＰをコアネットワークに送信する。
【０３３６】
切断、解放、または解放完了メッセージは、ハンドオーバ完了メッセージのすぐ後に送信する必要はない。しかし、そうすることには、コアネットワーク中のリソースがより早く解放される利点がある。
【０３３７】
参照記号のリスト
ＡＣＫ  肯定応答信号
ＡＮ    アクセスネットワーク
ＢＳＣ  基地局制御局
ＢＴＳ  無線基地局
ＣＡ    能力応答
ＣＡＥ  能力分析要素
ＣＣＭ  クリアコマンド
ＣＣＰ  クリア完了信号
ＣＮ    コアネットワーク
ＣＲＱ  能力要求
ＤＰＨ  システム間ハンドオーバが行われるかどうかの判定デバイス
ＤＣＯ  切断命令
ＥＥ    実行要素
ＧＳＭ  汎欧州デジタル移動電話方式
ＨＡＣ  ハンドオーバアクセス
ＨＣＭ  ハンドオーバコマンド
ＨＣＰ  ハンドオーバ完了信号
ＨＤＴ  ハンドオーバ取外し信号
ＨＯ    保留命令
ＨＯＡ  保留受諾
ＨＱ    ハンドオーバ照会
ＨＲＥ  ハンドオーバ要求
ＨＲＥＡ  ハンドオーバ要求受諾
ＨＲＰ  ハンドオーバ応答
ＨＲＱ  ハンドオーバ要求
ＩＣＫ  通信システム情報
ＩＳＤＮ  総合ディジタルサービス網
ＩＵＥ  初期ユーザ機器
ＬＥ    論理要素
ＭＣＴ  測定制御
ＭＲＴ  測定報告
ＭＳＣ  移動体サービス交換センタ
ＭＵＥ  移動体ユーザ機器
ＰＳＴＮ  公衆交換電話網
ＲＣＭ  解放コマンド
ＲＣＰ  解放完了信号
ＳＭＳ  ショートメッセージングサービス
ＳＵ    セットアップメッセージ
ＵＭＴＳ  世界規模の移動体通信サービス
ＵＴＲＡＮ  ＵＭＴＳ地上無線アクセス網
【図面の簡単な説明】
【図１】  本発明に従うシステム間ハンドオーバ手順の第１の実装形態に対するシーケンスを示す図である。
【図２】  本発明に従うシステム間ハンドオーバ手順の第２の実装形態に対するシーケンスを示す図である。
【図３】  本発明に従うシステム間ハンドオーバ手順の第３の実装形態に対するシーケンスを示す図である。
【図４】  本発明に従うシステム間ハンドオーバ手順の第４の実装形態に対するシーケンスを示す図である。
【図５】  本発明に従うシステム間ハンドオーバ手順の第５の実装形態に対するシーケンスを示す図である。
【図６】  本発明に従うシステム間ハンドオーバ手順の第６の実装形態に対するシーケンスを示す図である。
【図７】  本発明に従うシステム間ハンドオーバ手順の第７の実装形態に対するシーケンスを示す図である。
【図８】  本発明に従うシステム間ハンドオーバ手順の第８の実装形態に対するシーケンスを示す図である。
【図９】  本発明に従うシステム間ハンドオーバ手順の第９の実装形態に対するシーケンスを示す図である。
【図１０】  本発明に従うシステム間ハンドオーバ手順の第１０の実装形態に対するシーケンスを示す図である。
【図１１】  本発明に従うシステム間ハンドオーバ手順の第１１の実装形態に対するシーケンスを示す図である。
【図１】
0004520044.tif 000002
【図２】
0004520044.tif 000003
【図３】
0004520044.tif 000004
【図４】
0004520044.tif 000005
【図５】
0004520044.tif 000006
【図６】
0004520044.tif 000007
【図７】
0004520044.tif 000008
【図８】
0004520044.tif 000009
【図９】
0004520044.tif 000010
【図１０】
0004520044.tif 000011
【図１１】
0004520044.tif 000012